(57)【要約】【課題】携帯電話装置の配信対象データの取得を要求する要求元が携帯電話装置を直接アクセスせずとも配信対象データを取得できるようにすると共に、ユーザによる仲介サーバへの配信対象データの登録操作を不要にする。【解決手段】携帯電話装置１０の配信対象データの取得を要求するパーソナルコンピュータ（ＰＣ）３０は、仲介サーバ２０へデータ取得要求を送信する。仲介サーバ２０は、携帯電話装置１０から取得した配信対象データを保持したコピー保持部を有しており、ＰＣ３０からデータ取得要求があったとき、携帯電話装置１０に最新の配信対象データの取得を要求し、取得に成功したときは、取得した配信対象データを要求元のＰＣ３０に送信すると共にコピー保持部に格納し、失敗したときは、コピー保持部に保持されている配信対象データをＰＣ３０に送信する。【選択図】図１
2008059506.tif 000002
【特許請求の範囲】
【請求項１】
携帯端末装置と、仲介サーバとを備え、
前記携帯端末が、
配信対象データを保持する携帯側記憶部と、
前記仲介サーバから前記配信対象データの取得が要求されたとき、前記配信対象データを前記仲介サーバに送信するサーバ機能部とを備え、
前記仲介サーバが、
該携帯端末装置から取得した配信対象データを保持するサーバ側記憶部と、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行するデータ配信手段とを備えたことを特徴とするデータ配信システム。
【請求項２】
請求項１記載のデータ配信システムにおいて、
前記データ配信手段が、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とするデータ配信システム。
【請求項３】
請求項１記載のデータ配信システムにおいて、
前記データ配信手段が、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とするデータ配信システム。
【請求項４】
請求項１記載のデータ配信システムにおいて、
前記データ配信手段が、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とするデータ配信システム。
【請求項５】
携帯端末装置から取得した配信対象データを保持するサーバ側記憶部と、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行するデータ配信手段とを備えたことを特徴とする仲介サーバ。
【請求項６】
請求項５記載の仲介サーバにおいて、
前記データ配信手段が、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とする仲介サーバ。
【請求項７】
請求項５記載の仲介サーバにおいて、
前記データ配信手段が、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とする仲介サーバ。
【請求項８】
請求項５記載の仲介サーバにおいて、
前記データ配信手段が、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とする仲介サーバ。
【請求項９】
携帯端末装置から取得した配信対象データをサーバ側記憶部に保持する第１のステップと、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行する第２のステップとを含むことを特徴とするデータ配信方法。
【請求項１０】
請求項９記載のデータ配信方法において、
前記第２のステップでは、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とするデータ配信方法。
【請求項１１】
請求項９記載のデータ配信方法において、
前記第２のステップでは、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とするデータ配信方法。
【請求項１２】
請求項９記載のデータ配信方法において、
前記第２のステップでは、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とするデータ配信方法。
【請求項１３】
コンピュータに、
携帯端末装置から取得した配信対象データをサーバ側記憶部に保持する第１のステップと、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行する第２のステップとを実行させるためのプログラム。
【請求項１４】
請求項１３記載のプログラムにおいて、
前記第２のステップでは、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とするプログラム。
【請求項１５】
請求項１３記載のプログラムにおいて、
前記第２のステップでは、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とするプログラム。
【請求項１６】
請求項１３記載のプログラムにおいて、
前記第２のステップでは、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とするプログラム。
【発明の詳細な説明】
【技術分野】
【０００１】
本発明は、携帯電話装置などの携帯端末装置が保持している配信対象データを要求元に配信するデータ配信技術に関し、特に、携帯端末装置が保持している配信対象データのコピーを保持すると共に携帯端末装置から配信対象データを取得する仲介サーバを設け、要求元が携帯端末装置に直接アクセスせずとも携帯端末装置の配信対象データを取得できるようにしたデータ配信技術に関する。
【背景技術】
【０００２】
従来の一般的な携帯電話装置にはブラウザが実装され、Ｗｅｂサーバからデータをダウンロードすることは可能になっているが、他の装置からのデータ取得要求に応答して、携帯電話装置内のデータ（例えば、携帯電話装置の文書作成機能を用いて作成した文書や、携帯電話装置のカメラを用いて撮影した画像や、プログラム等）を要求元に配信するという機能は実装されていない。一方、携帯電話装置の文書作成機能で作成した文書や、携帯電話装置のカメラを用いて撮影した画像などを例えばブログとしてＷｅｂサーバに登録するということが盛んに行われるようになってきており、このようにすることにより、間接的ではあるが、携帯電話装置内のデータを要求元に配信することが可能になる。
【０００３】
また、携帯電話装置にサーバ機能を設け、携帯電話装置内のデータをパーソナルコンピュータ等の外部装置に配信できるようにした携帯電話装置も従来から提案されている（例えば、特許文献１参照）。この特許文献１に記載されている携帯電話装置は、外部装置からのデータ取得要求を処理するＨＴＴＰ(hypertext transfer protocol)サーバ部を有し、外部装置からデータ取得要求が送られてきた場合、ＨＴＴＰサーバ部が、データ記憶部に格納されている該当データをＨＴＭＬフォーマットに変換し、要求元に送信するようにしている。
【０００４】
【特許文献１】特開２００５−２４４７２０号公報
【発明の開示】
【発明が解決しようとする課題】
【０００５】
上述したように、携帯電話装置内のデータをＷｅｂサーバに登録するようにすれば、携帯電話装置内のデータを不特定多数の要求元に配信することが可能になる。しかし、この方法では、携帯電話装置のユーザが、Ｗｅｂサーバへデータを登録するための操作を行う必要があり、携帯電話装置のユーザに負担がかかるという問題がある。
【０００６】
また、特許文献１に記載されている従来の技術によれば、携帯電話装置内のデータを要求元に直接配信することができるので、携帯電話装置のユーザにとってはブログのようにＷｅｂサーバへのデータの登録操作を行う必要はないが、データ配信の要求元は携帯電話装置に直接アクセスしなければデータを取得することができないという問題がある。
【０００７】
〔発明の目的〕
そこで、本発明の目的は、仲介サーバを利用することにより、要求元が携帯端末装置に直接アクセスせずとも配信対象データを取得できるようにすると共に、ユーザによる仲介サーバへの配信対象データの登録操作を不要にすることにある。
【課題を解決するための手段】
【０００８】
本発明にかかる第１のデータ配信システムは、
携帯端末装置と、仲介サーバとを備え、
前記携帯端末が、
配信対象データを保持する携帯側記憶部と、
前記仲介サーバから前記配信対象データの取得が要求されたとき、前記配信対象データを前記仲介サーバに送信するサーバ機能部とを備え、
前記仲介サーバが、
該携帯端末装置から取得した配信対象データを保持するサーバ側記憶部と、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行するデータ配信手段とを備えたことを特徴とする。
【０００９】
本発明にかかる第２のデータ配信システムは、第１のデータ配信システムにおいて、
前記データ配信手段が、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とする。
【００１０】
本発明にかかる第３のデータ配信システムは、第１のデータ配信システムにおいて、
前記データ配信手段が、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とする。
【００１１】
本発明にかかる第４のデータ配信システムは、第１のデータ配信システムにおいて、
前記データ配信手段が、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とする。
【００１２】
本発明にかかる第１の仲介サーバは、
携帯端末装置から取得した配信対象データを保持するサーバ側記憶部と、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行するデータ配信手段とを備えたことを特徴とする。
【００１３】
本発明にかかる第２の仲介サーバは、第１の仲介サーバにおいて、
前記データ配信手段が、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とする。
【００１４】
本発明にかかる第３の仲介サーバは、第１の仲介サーバにおいて、
前記データ配信手段が、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とする。
【００１５】
本発明にかかる第４の仲介サーバは、第１の仲介サーバにおいて、
前記データ配信手段が、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とする。
【００１６】
本発明にかかる第１のデータ配信方法は、
携帯端末装置から取得した配信対象データをサーバ側記憶部に保持する第１のステップと、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行する第２のステップとを含むことを特徴とする。
【００１７】
本発明にかかる第２のデータ配信方法は、第１のデータ配信方法において、
前記第２のステップでは、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とする。
【００１８】
本発明にかかる第３のデータ配信方法は、第１のデータ配信方法において、
前記第２のステップでは、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とする。
【００１９】
本発明にかかる第４のデータ配信方法は、第１のデータ配信方法において、
前記第２のステップでは、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とする。
【００２０】
本発明にかかる第１のプログラムは、
コンピュータに、
携帯端末装置から取得した配信対象データをサーバ側記憶部に保持する第１のステップと、
前記携帯端末装置の配信対象データの取得を要求する要求元からデータ取得要求があったとき、前記携帯端末装置から新たに取得した最新の配信対象データを前記サーバ側記憶部に記憶すると共に前記要求元に送信する機能と、前記サーバ側記憶部に保持されている配信対象データを前記要求元に送信する機能との内の一方の機能を選択的に実行する第２のステップとを実行させる。
【００２１】
本発明にかかる第２のプログラムは、第１のプログラムにおいて、
前記第２のステップでは、前記要求元からデータ取得要求があったとき、前記携帯端末装置に最新の配信対象データの取得を要求し、取得に成功したときは、取得した配信対象データを前記サーバ側記憶部に記憶すると共に前記要求元に送信し、失敗したときは、前記サーバ側記憶部に保持されている配信対象データを前記要求元に送信することを特徴とする。
【００２２】
本発明にかかる第３のプログラムは、第１のプログラムにおいて、
前記第２のステップでは、前記要求元からデータ取得要求があったとき、前記要求元が必ずしも最新の配信対象データの取得を要求していないかどうかを判定し、要求していない場合は、前記サーバ側記憶部に保持されている配信対象データを前記要求元に送信し、要求している場合は、前記携帯端末装置から新たに取得した最新の配信対象データを前記サーバ側記憶部に記憶すると共に前記要求元に送信することを特徴とする。
【００２３】
本発明にかかる第４のプログラムは、第１のプログラムにおいて、
前記第２のステップでは、前記要求元からデータ取得要求があったとき、前記携帯端末装置と自サーバとを接続するネットワークのトラフィックが閾値以上であるか否かを判定し、閾値以上である場合は、前記サーバ側記憶部に保持されている配信対象データを前記要求元に送信し、前記閾値未満である場合は、前記携帯端末装置から新たに取得した最新の配信対象データを前記サーバ側記憶部に記憶すると共に前記要求元に送信することを特徴とする。
【００２４】
〔作用〕
携帯電話装置などの携帯端末装置は、配信対象データを保持する携帯側記憶部を備えると共に、仲介サーバから配信対象データの取得が要求されたとき、配信対象データを仲介サーバに送信するサーバ機能部を備えている。
【００２５】
携帯端末装置の配信対象データの取得を要求するパーソナルコンピュータ等の要求元は、仲介サーバに対してデータ取得要求を送信する。
【００２６】
仲介サーバは、携帯端末装置から取得した配信対象データを保持するサーバ側記憶部を備えており、要求元からデータ取得要求があると、携帯端末装置から新たに取得した最新の配信対象データをサーバ側記憶部に記憶すると共に要求元に送信する機能と、サーバ側記憶部に保持されている配信対象データを要求元に送信する機能との内の一方の機能を選択的に実行する。従って、データ配信の要求元は携帯端末装置に直接アクセスすることなく、配信対象データを取得することができる。また、携帯端末装置のユーザは、中継サーバに対して配信対象データの登録作業を行わなくても済む。
【００２７】
仲介サーバは、例えば、要求元からデータ取得要求があったとき、携帯端末装置に最新の配信対象データの取得を要求し、取得に成功したときは、取得した配信対象データを要求元に送信し、失敗したときは、前記サーバ側記憶部に保持されている配信対象データを要求元に送信する。このようにすることにより、携帯端末装置が通信不可状態であっても配信対象データを配信することが可能になる。
【００２８】
また、例えば、要求元からデータ取得要求があったとき、要求元が必ずしも最新の配信対象データの取得を要求していないかどうかを判定し、要求していない場合は、サーバ側記憶部に保持されている配信対象データを要求元に送信し、要求している場合は、携帯端末装置から新たに取得した最新の配信対象データを要求元に送信する。このようにすることにより、携帯端末装置の通信量を低減させることが可能になる。
【００２９】
また、例えば、要求元からデータ取得要求があったとき、携帯端末装置と自サーバとを接続するネットワークのトラフィックが閾値以上であるか否かを判定し、閾値以上である場合は、サーバ側記憶部に保持されている配信対象データを要求元に送信し、閾値未満である場合は、携帯端末装置から新たに取得した最新の配信対象データを要求元に送信する。このようにすることにより、携帯端末装置の通信量を低減させることが可能になると共に、ネットワークのトラフィックを低減させることが可能になる。
【発明の効果】
【００３０】
本発明によれば、データ配信の要求元にとっては、携帯端末装置を直接アクセスせずとも配信対象データを取得することが可能になり、携帯端末装置のユーザにとっては、仲介サーバへの配信対象データの登録操作が不要になる。ユーザによる登録操作が不要になる理由は、仲介サーバが、携帯端末装置から取得した最新の配信対象データをサーバ側記憶部をその都度記憶するからである。また、要求元が携帯端末装置に直接アクセスせずとも配信対象データを取得できる理由は、仲介サーバが、要求元からデータ取得要求があったとき、携帯端末装置から新たに取得した最新の配信対象データを要求元に送信する機能と、サーバ側記憶部に保持されている配信対象データを要求元に送信する機能との内の一方の機能を選択的に実行するデータ配信手段を備えているからである。
【発明を実施するための最良の形態】
【００３１】
次に、発明を実施するための最良の形態について図面を参照して詳細に説明する。
【００３２】
〔第１の実施の形態〕
図１を参照すると、本発明にかかるデータ配信システムの第１の実施の形態は、サーバ機能を有する携帯電話装置１０と、仲介サーバ２０と、パーソナルコンピュータ（ＰＣ）３０とを含み、携帯電話装置１０と仲介サーバ２０とは公衆携帯電話ネットワーク４０を介して相互に接続され、仲介サーバ２０とパーソナルコンピュータ３０とはインターネット５０を介して相互に接続されている。なお、図１では、携帯電話装置１０及びパーソナルコンピュータ３０をそれぞれ１台ずつしか図示していないが、台数はこれに限られるものではない。
【００３３】
図２を参照すると、サーバ機能を有する携帯電話装置１０は、送受信手段１１と、呼制御手段１２と、ＨＴＴＰに準拠した通信を行うＨＴＴＰサーバ機能管理手段１３と、記憶装置１４とを備えている。
【００３４】
送受信手段１１は、公衆携帯電話ネットワーク４０を介してデータ等を送受信する。呼制御手段１２は、携帯電話装置１０に対する着信や、携帯電話装置１０からの発呼に関する処理を行う。
【００３５】
記憶装置１４の所定領域は、配信対象データ格納領域となっており、ここには、図示を省略した文書作成手段やカメラ制御手段などによって作成されたデータや、プログラムが配信対象データとして格納されている。
【００３６】
ＨＴＴＰサーバ機能管理手段１３は、仲介サーバ２０から公衆携帯電話ネットワーク４０を介してデータ取得要求が送られてきたとき、記憶装置１４上の配信対象データ格納領域に格納されているデータを、仲介サーバ２０へ送信する。
【００３７】
なお、携帯電話装置１０内の各手段１１〜１３は、コンピュータ（ＣＰＵ）によって実現することが可能であり、コンピュータによって実現する場合は、次のようにする。コンピュータを、送受信手段１１、呼制御手段１２、ＨＴＴＰサーバ機能管理手段１３として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に各手段１１〜１３を実現する。
【００３８】
仲介サーバ２０は、公衆携帯電話ネットワーク４０及びインターネット５０を介したデータの送受信が可能で、パーソナルコンピュータ３０と携帯電話装置１０との通信を仲介する。
【００３９】
図３を参照すると、仲介サーバ２０は、送受信手段２１と、呼制御部２２と、ＨＴＴＰに準拠した通信を行うＨＴＴＰサーバ機能管理手段２３と、タイトル一覧画面生成手段２４と、記憶装置２５とを備えている。
【００４０】
記憶装置２５には、端末情報保持部２５１と、コピー保持部２５２とが設けられている。
【００４１】
端末情報保持部２５１には、管理対象にしている各携帯電話装置１０（パーソナルコンピュータ３０との間の通信を仲介することを契約している携帯電話装置１０）の端末情報が登録されている。端末情報には、携帯電話装置１０の電話番号と、携帯電話装置が配信対象にしているデータのタイトルと、上記データのコピーが格納されているコピー保持部２５２上の領域を示す領域番号と、携帯電話装置１０を一意に識別するために端末ＩＤとが含まれている。図４は端末情報保持部２５１の内容例を示す図であり、同図の第１行目は、電話番号「Ｄ１」の携帯電話装置１０には端末ＩＤ「ＩＤ１」が付与されていること、上記携帯電話装置１０はタイトル「×××日記」のデータを配信対象データとしていること、上記配信対象データのコピーが領域番号「＃１」の領域に格納されていることを示している。
【００４２】
コピー保持部２５２には管理対象にしている各携帯電話装置１０毎の領域が設けられており、各領域には、対応する携帯電話装置１０が配信対象にしている配信対象データのコピーが格納される。
【００４３】
送受信手段２１は、公衆携帯電話ネットワーク４０、インターネット５０を介してデータ等を送受信する。呼制御手段２２は、携帯端末装置１０に対する発呼処理を行う。
【００４４】
タイトル一覧画面生成手段２４は、パーソナルコンピュータ３０がインターネット５０を介して仲介サーバ２０に接続したとき、端末情報保持部２５１の内容に基づいて、各携帯電話装置１０が配信対象にしているデータのタイトルの一覧が載ったタイトル一覧画面を生成し、上記パーソナルコンピュータ３０に送信する。
【００４５】
図５はタイトル一覧画面２４１の一例を示す図であり、タイトル一覧部２４２と、決定ボタン２４４とが設けられている。タイトル一覧部２４２には、各携帯電話装置１０が配信対象にしているデータのタイトルに対応付けて、その携帯電話装置１０の端末ＩＤと、選択欄２４３とが表示されている。
【００４６】
ＨＴＴＰサーバ機能管理手段２３は、データ取得手段２３１と、コピー返却手段２３２とを備えている。
【００４７】
データ取得手段２３１は、パーソナルコンピュータ３０から携帯電話装置１０の配信対象データの取得を要求するデータ取得要求が送られてきたとき、上記携帯電話装置１０に対して配信対象データの取得を要求し、配信対象データの取得に成功した場合は、取得した配信対象データを要求元のパーソナルコンピュータ３０に返すと共に、コピー保持部２５２の上記携帯電話装置１０に対応する領域に、取得した配信対象データのコピーを格納（上書き）する。これに対して、配信対象データの取得に失敗した場合は、コピー返却手段２３２に対して、配信対象データの取得に失敗した携帯電話装置１０に割り当てられている、コピー保持部２５２上の領域の領域番号を渡す。
【００４８】
コピー返却手段２３２は、データ取得手段２３１から領域番号が渡されると、コピー保持部２５２上の上記領域番号によって特定される領域から配信対象データのコピーを読み出し、要求元のパーソナルコンピュータ３０に返す。
【００４９】
なお、仲介サーバ２０内の各手段２１〜２４は、コンピュータ（ＣＰＵ）によって実現可能であり、コンピュータによって実現する場合は、次のようにする。コンピュータを、送受信手段２１、呼制御手段２２、ＨＴＴＰサーバ機能管理手段２３、タイトル一覧画面生成手段２４として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に各手段２１〜２４を実現する。
【００５０】
パーソナルコンピュータ３０は、インターネット５０にアクセス可能な任意の情報処理装置であり、Ｗｅｂブラウザ等のＨＴＴＰに準拠したデータを画面に表示する機能を有する。携帯電話装置１０が公開するデータをＷｅｂブラウザ等で画面に表示、またはデータのダウンロードを行う。
【００５１】
〔第１の実施の形態の動作の説明〕
次に、本実施の形態の動作について詳細に説明する。
【００５２】
パーソナルコンピュータ３０のユーザは、仲介サーバ２０によって管理されている各携帯電話装置１０が配信対象にしているデータを取得したい場合、先ず、インターネット５０を介してパーソナルコンピュータ３０を仲介サーバ２０に接続する（図６のステップＳ６０１）。
【００５３】
これにより、仲介サーバ２０内のタイトル一覧画面生成手段２４が、端末情報保持部２５１の内容に基づいて、図５に示すようなタイトル一覧画面２４１を生成し、パーソナルコンピュータ３０へ送信する（ステップＳ６０２）。
【００５４】
これにより、パーソナルコンピュータ３０では、図５に示すようなタイトル一覧画面２４１をＬＣＤ等の表示部（図示せず）に表示する（ステップＳ６０３）。
【００５５】
この表示を見たパーソナルコンピュータ３０のユーザは、取得したいデータのタイトルを選択欄２４３を用いて選択する。図５の例では、タイトル「×××日記」が選択されている。その後、ユーザは、決定ボタン２４４を操作する。
【００５６】
これにより、パーソナルコンピュータ３０は、チェックされた選択欄２４３に対応付けて表示されている端末ＩＤを含んだデータ取得要求を仲介サーバ２０へ送信する（ステップＳ６０４）。
【００５７】
仲介サーバ２０内のデータ取得手段２３１は、パーソナルコンピュータ３０からデータ取得要求が送られてくると、それに含まれている端末ＩＤに対応する電話番号を端末情報保持部２５１から検索し、この電話番号の携帯電話装置１０に対してデータ取得要求を送信する（ステップＳ６０５）。例えば、データ取得要求中の端末ＩＤが「ＩＤ１」で、端末情報保持部２５１の内容が図４に示すものであるとすると、電話番号「Ｄ１」の携帯電話装置１０に対してデータ取得要求を送信することになる。
【００５８】
携帯電話装置１０内のＨＴＴＰサーバ機能管理手段１３は、仲介サーバ２０からデータ取得要求が送られてくると、記憶装置１４から最新の配信対象データを取り出し、ＨＴＴＰに準拠した通信により仲介サーバ２０に返す（ステップＳ６０６）。なお、ＨＴＴＰサーバ機能管理手段１３は、公衆携帯電話ネットワーク４０を介して中継サーバ２０以外の要求元からデータ取得要求が送られてきた場合も同様の処理を行う。
【００５９】
仲介サーバ２０内のデータ取得手段２３１は、配信対象データの取得に成功した場合（ステップＳ６０７がＹＥＳ）は、取得した最新の配信対象データを要求元のパーソナルコンピュータ３０に返し、更に、そのコピーをコピー保持部２５２上の上記携帯電話装置１０に割り当てられている領域に格納する（ステップＳ６０９、Ｓ６１０）。なお、上記携帯電話装置１０に割り当てられている領域は、パーソナルコンピュータ３０から送られてきたデータ取得要求中の端末ＩＤをキーにして、端末情報保持部２５１を検索することにより、求めることができる。例えば、データ検索要求中の端末ＩＤが「ＩＤ１」であれば、領域番号「＃１」の領域が該当する領域となる。
【００６０】
これに対して配信対象データの取得に失敗した場合（ステップＳ６０７がＮＯ）は、コピー返却手段２３２に対して、配信対象データの取得に失敗した携帯電話装置１０に割り当てられている、コピー保持部２５２上の領域の領域番号を渡す。これにより、コピー返却手段２３２は、上記領域番号によって特定される、コピー保持部２５２上の領域から配信対象データのコピーを取り出し、それを要求元のパーソナルコンピュータ３０へ送信する（ステップＳ６０８）。
【００６１】
パーソナルコンピュータ３０は、仲介サーバ２０から送られてきた最新の配信対象データあるいは配信対象データのコピーを表示部に表示する（ステップＳ６１１）。
【００６２】
〔第１の実施の形態の効果〕
本実施の形態によれば、データ配信の要求元（パーソナルコンピュータ３０）にとっては、携帯電話装置１０を直接アクセスせずとも配信対象データを取得することが可能になり、携帯電話装置１０のユーザにとっては、仲介サーバ２０への配信対象データの登録操作が不要になる。ユーザによる登録操作が不要になる理由は、仲介サーバ２０が、携帯電話装置１０から取得した最新の配信対象データをコピー保持部２５２をその都度記憶するからである。また、要求元が携帯電話装置１０に直接アクセスせずとも配信対象データを取得できる理由は、仲介サーバ２０が、要求元からデータ取得要求があったとき、携帯電話装置１０から新たに取得した最新の配信対象データを要求元に送信する機能と、コピー保持部２５２に保持されている配信対象データを要求元に送信する機能との内の一方の機能を選択的に実行するＨＴＴＰサーバ機能管理手段２３を備えているからである。
【００６３】
また、本実施の形態によれば、携帯電話装置１０が通信不可状態になった場合であっても、要求元（パーソナルコンピュータ３０）が配信対象データを取得することが可能になる。その理由は、データ取得手段２３１が携帯電話装置１０からの配信対象データの取得に失敗した場合、コピー返却手段２３２がコピー保持部２５２に保持されている配信対象データを要求元に送信するようにしているからである。
【００６４】
〔第２の実施の形態〕
次に、本発明にかかるデータ配信システムの第２の実施の形態について説明する。本実施の形態は、携帯電話装置の配信対象データの取得を要求するパーソナルコンピュータ（要求元）が、必ずしも最新の配信対象データの取得を要求していない場合には、仲介サーバが保持している配信対象データのコピーを要求元に返却することにより、携帯電話装置の通信量を低減させることを特徴としている。
【００６５】
本実施の形態は、図１に示したデータ配信システムにおいて、仲介サーバ２０の代わりに、図７に示す構成を有する仲介サーバ２０ａを用いることにより実現される。
【００６６】
仲介サーバ２０ａは、ＨＴＴＰサーバ機能管理手段２３の代わりにＨＴＴＰサーバ機能管理手段２３ａを備えている点、およびタイトル一覧画面生成手段２４の代わりにタイトル一覧画面生成手段２４ａを備えている点が、図３に示した仲介サーバ２０と相違している。
【００６７】
タイトル一覧画面生成手段２４ａは、端末情報保持部２５１の内容に基づいて、図８に示すようなタイトル一覧画面２４１ａを生成する点が、タイトル一覧画面生成手段２４と相違している。
【００６８】
図８に示したタイトル一覧画面２４１ａと図５に示したタイトル一覧画面２４１との相違点は、最新の配信対象データの取得を要求する場合にチェックし、必ずしも最新の配信対象データの取得を要求しない場合はチェックしない最新データ要求欄２４６を含んだ要求種別選択部２４５が追加されている点である。
【００６９】
ＨＴＴＰサーバ機能管理手段２３ａは、要求種別判定手段２３３が追加されている点が、ＨＴＴＰサーバ機能管理手段２３と相違している。
【００７０】
要求種別判定手段２３３は、携帯電話装置１０の配信対象データの取得を要求するパーソナルコンピュータ３０からデータ取得要求があった場合、それに含まれている最新データ要求フラグに基づいて、要求元が必ずしも最新の配信対象データの取得を要求していないかどうかを判定する。そして、必ずしも最新の配信対象データの取得が要求されていないと判定した場合は、要求されている配信対象データのコピーが格納されている領域の領域番号をコピー返却手段２３２に渡し、最新の配信対象データの取得が要求されていると判定した場合は、データ取得手段２３１にデータ取得要求を渡し、前述した第１の実施の形態と同様の処理を行わせる。
【００７１】
なお、仲介サーバ２０ａ内の各手段２１、２２、２３ａ、２４ａは、コンピュータ（ＣＰＵ）によって実現可能であり、コンピュータによって実現する場合は、次のようにする。コンピュータを、送受信手段２１、呼制御手段２２、ＨＴＴＰサーバ機能管理手段２３ａ、タイトル一覧画面生成手段２４ａとして機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に各手段２１、２２、２３ａ、２４ａを実現する。
【００７２】
〔第２の実施の形態の動作の説明〕
次に、本実施の形態の動作について説明する。図９は、本実施の形態の動作例を示すフローチャートであり、図６に示した第１の実施の形態の動作例を示すフローチャートとの相違点は、ステップＳ６０２〜Ｓ６０４の代わりにステップＳ９０１〜Ｓ９０３の処理を行う点、およびステップＳ９０４が追加されている点である。以下では、この相違点に関連する動作についてのみ説明する。
【００７３】
仲介サーバ２０ａ内のタイトル一覧画面生成手段２４ａは、インターネット５０を介してパーソナルコンピュータ３０と接続されると、端末情報保持部２５１の内容に基づいて、図８に示すようなタイトル一覧画面２４１ａを生成し、パーソナルコンピュータ３０へ送信する（ステップＳ９０１）。
【００７４】
これにより、パーソナルコンピュータ３０では、図８に示すようなタイトル一覧画面２４１ａを表示部（図示せず）に表示する（ステップＳ９０２）。
【００７５】
この表示を見たパーソナルコンピュータ３０のユーザは、取得したいデータのタイトルを選択欄２４３を用いて選択する。図８の例では、タイトル「×××日記」が選択されている。更に、ユーザは、携帯電話装置１０が保持している最新の配信対象データの取得を要求する場合には、最新データ要求欄２４６をチェックし、必ずしも最新の配信対象データの取得を要求しない場合には、最新データ要求欄２４６をチェックしない。その後、ユーザは、決定ボタン２４４を操作する。
【００７６】
これにより、パーソナルコンピュータ３０は、チェックされた選択欄２４３に対応付けて表示されている端末ＩＤと、最新データ要求フラグとを含んだデータ取得要求を仲介サーバ２０へ送信する（ステップＳ９０３）。なお、最新データ要求欄２４６がチェックされている場合には、最新データ要求フラグは“１”となり、チェックされていない場合には、“０”となる。
【００７７】
仲介サーバ２０ａ内の要求種別判定手段２３３は、パーソナルコンピュータ３０から送られてきたデータ取得要求中の最新データ要求フラグが“１”であるか否かを判断する（ステップＳ９０４）。
【００７８】
そして、最新データ要求フラグが“１”であると判断した場合、即ち要求元のパーソナルコンピュータ３０が最新の配信対象データの取得を要求していると判断した場合（ステップＳ９０４がＹＥＳ）は、データ取得手段２３１にパーソナルコンピュータ３０から送られてきたデータ取得要求を渡す。これにより、データ取得手段２３１は、前述した第１の実施の形態と同様に、携帯電話装置１０に対してデータ取得要求を送信する（ステップＳ６０５）。
【００７９】
これに対して、最新データ要求フラグが“０”であると判断した場合、即ち要求元のパーソナルコンピュータ３０が、必ずしも最新の配信対象データの取得を要求していないと判断した場合（ステップＳ９０４がＮＯ）は、データ取得要求に含まれている端末ＩＤと対応する領域番号を端末情報保持部２５１から検索し、検索した領域番号をコピー返却手段２３２に渡す。これにより、コピー返却手段２３２は、コピー保持部２５２上の上記領域番号によって特定される領域に格納されている配信対象データのコピーを要求元のパーソナルコンピュータ３０に返す（ステップＳ６０８）。
【００８０】
〔第２の実施の形態の効果〕
本実施の形態によれば、第１の実施の形態により得られる効果に加え、携帯電話装置１０の通信量を低減できるという効果を得ることができる。その理由は、要求元（パーソナルコンピュータ３０）からデータ取得要求があったとき、要求元が必ずしも最新の配信対象データの取得を要求していないかどうかを判定し、要求していない場合は、コピー保持部２５２に保持されている配信対象データを要求元に送信するＨＴＴＰサーバ機能管理手段２３ａを備えているからである。
【００８１】
〔第３の実施の形態〕
次に、本発明にかかるデータ配信システムの第３の実施の形態について説明する。本実施の形態は、仲介サーバと携帯電話装置とを接続する公衆携帯電話ネットワークのトラフィックが大きい場合、仲介サーバが保持している配信対象データのコピーを要求元に返却することにより、携帯電話装置の通信量を低減させると共に公衆携帯電話ネットワークのトラフィックの増加を防ぐことを特徴としている。
【００８２】
本実施の形態は、図１に示したデータ配信システムにおいて、仲介サーバ２０の代わりに、図１０に示す構成を有する仲介サーバ２０ｂを用いることにより実現される。
【００８３】
仲介サーバ２０ｂは、トラフィック検出手段２６が追加されている点、およびＨＴＴＰサーバ機能管理手段２３の代わりにＨＴＴＰサーバ機能管理手段２３ｂを備えている点が図３に示した仲介サーバ２０と相違している。
【００８４】
トラフィック検出手段２６は、仲介サーバ２０ｂと携帯電話装置１０とを接続する公衆携帯電話ネットワーク４０のトラフィックを検出する。
【００８５】
ＨＴＴＰサーバ機能管理手段２３ｂは、トラフィック判定手段２３４が追加されている点が、図３に示したＨＴＴＰサーバ機能管理手段２３と相違している。
【００８６】
トラフィック判定手段２３４は、携帯電話装置１０の配信対象データの取得を要求するパーソナルコンピュータ３０からデータ取得要求があった場合、トラフィック検出手段２６によって検出されている公衆携帯電話ネットワーク４０のトラフィックと予め定められている閾値とを比較する。そして、トラフィックが閾値以上である場合は、要求されている配信対象データのコピーが格納されている領域の領域番号をコピー返却手段２３２に渡し、トラフィックが閾値未満であると判断した場合は、データ取得手段２３１にデータ取得要求を渡し、前述した第１の実施の形態と同様の処理を行わせる。
【００８７】
仲介サーバ２０ｂ内の各手段２１、２２、２３ｂ、２４、２６は、コンピュータ（ＣＰＵ）によって実現可能であり、コンピュータによって実現する場合は、次のようにする。コンピュータを、送受信手段２１、呼制御手段２２、ＨＴＴＰサーバ機能管理手段２３ｂ、タイトル一覧画面生成手段２４、トラフィック検出回路２６として機能させるためのプログラムを記録したディスク、半導体メモリ、その他の記録媒体を用意し、コンピュータに上記プログラムを読み取らせる。コンピュータは、読み取ったプログラムに従って自身の動作を制御することにより、自コンピュータ上に各手段２１、２２、２３ｂ、２４、２６を実現する。
【００８８】
〔第３の実施の形態の動作〕
次に、本実施の形態の動作について説明する。図１１は、本実施の形態の動作例を示すフローチャートであり、図６に示した第１の実施の形態の動作例を示すフローチャートとの相違点は、ステップＳ１１０１が追加されている点である。以下では、この相違点に関連する動作についてのみ説明する。
【００８９】
仲介サーバ２０ｂ内のトラフィック判定手段２３４は、パーソナルコンピュータ３０からデータ取得要求が送られてくると（ステップＳ６０４）、トラフィック検出手段２６によって検出されている公衆携帯電話ネットワーク４０のトラフィックと予め定められている閾値とを比較する（ステップＳ１１０１）。
【００９０】
そして、トラフィックが閾値未満であると判断した場合（ステップＳ１１０１がＮＯ）は、データ取得手段２３１にパーソナルコンピュータ３０から送られてきたデータ取得要求を渡す。これにより、データ取得手段２３１は、前述した第１の実施の形態と同様に、携帯電話装置１０に対してデータ取得要求を送信する（ステップＳ６０５）。
【００９１】
これに対して、トラフィックが閾値以上であると判断した場合（ステップＳ１１０１がＹＥＳ）は、データ取得要求に含まれている端末ＩＤと対応する領域番号を端末情報保持部２５１から検索し、検索した領域番号をコピー返却手段２３２に渡す。これにより、コピー返却手段２３２は、コピー保持部２５２上の上記領域番号によって特定される領域に格納されている配信対象データのコピーを要求元のパーソナルコンピュータ３０に返す（ステップＳ６０８）。
【００９２】
〔第３の実施の形態の効果〕
本実施の形態によれば、第１の実施の形態で得られる効果に加え、携帯電話装置１０の通信量を低減できるという効果および公衆携帯電話ネットワーク４０のトラフィックを低減させることができるという効果を得ることができる。その理由は、要求元（パーソナルコンピュータ３０）からデータ取得要求があったとき、公衆携帯電話ネットワーク４０のトラフィックが閾値以上であるか否かを判定し、閾値以上である場合は、コピー保持部２５２に保持されている配信対象データを要求元に送信するＨＴＴＰサーバ機能管理手段２３ｂを備えているからである。
【００９３】
〔その他の実施の形態〕
上述した第１〜第３の実施の形態では、携帯電話装置１０および仲介サーバ２０、２０ａ、２０ｂにＨＴＴＰに準拠した通信を行うＨＴＴＰサーバ機能管理手段１３、２３、２３ａ、２３ｂを設けるようにしたが、その代わりにＦＴＰに準拠した通信を行うＦＴＰサーバ機能管理手段を設けるようにしても良い。なお、ＦＴＰサーバ機能管理手段は、ＦＴＰに準拠した通信を行う点以外は、ＨＴＴＰサーバ機能管理手段と同様の機能を有する。また、ＨＴＴＰサーバ機能管理手段とＦＴＰサーバ機能管理手段の両方を設けるようにしても良い。
【産業上の利用可能性】
【００９４】
本発明によれば、カメラ付き携帯電話装置で撮影した画像や映像等のデータを、ＨＴＴＰプロトコルもしくはＦＴＰプロトコルを介して不特定多数のインターネットに接続可能なパソコンに公開するといった用途に適用できる。また、直接インターネットに接続できない状況にあるコンピュータがサーバとして機能できるといった用途にも適用可能である。
【図面の簡単な説明】
【００９５】
【図１】本発明にかかるデータ配信システムの第１の実施の形態の全体構成例を示すブロック図である。
【図２】携帯電話装置１０の構成例を示すブロック図である。
【図３】第１の実施の形態で使用する仲介サーバ２０の構成例を示すブロック図である。
【図４】端末情報保持部２５１の内容例を示す図である。
【図５】タイトル一覧画面２４１の一例を示す図である。
【図６】第１の実施の形態の動作例を示すフローチャートである。
【図７】第２の実施の形態で使用する仲介サーバ２０ａの構成例を示すブロック図である。
【図８】タイトル一覧画面２４１ａの一例を示す図である。
【図９】第２の実施の形態の動作例を示すフローチャートである。
【図１０】第３の実施の形態で使用する仲介サーバ２０ｂの構成例を示すブロック図である。
【図１１】第３の実施の形態の動作例を示すフローチャートである。
【符号の説明】
【００９６】
１０…携帯電話装置
１１…送受信手段
１２…呼制御手段
１３…ＨＴＴＰサーバ機能管理手段
１４…記憶装置
２０、２０ａ、２０ｂ…仲介サーバ
２１…送受信手段
２２…呼制御手段
２３、２３ａ、２３ｂ…ＨＴＴＰサーバ機能管理手段
２３１…データ取得手段
２３２…コピー返却手段
２３３…要求種別判定手段
２３４…トラフィック判定手段
２４、２４ａ…タイトル一覧画面生成手段
２５…記憶装置
２５１…端末情報保持部
２５２…コピー保持部
２６…トラフィック検出手段
３０…パーソナルコンピュータ
４０…公衆携帯電話ネットワーク
５０…インターネット
【図１】
2008059506.tif 000003
【図２】
2008059506.tif 000004
【図３】
2008059506.tif 000005
【図４】
2008059506.tif 000006
【図５】
2008059506.tif 000007
【図６】
2008059506.tif 000008
【図７】
2008059506.tif 000009
【図８】
2008059506.tif 000010
【図９】
2008059506.tif 000011
【図１０】
2008059506.tif 000012
【図１１】
2008059506.tif 000013